(57)【特許請求の範囲】
【請求項１】
ローラーコンベヤ方式の搬送路と、この搬送路上の定位置に配備された摩擦攪拌接合用の加工ヘッドと、前記搬送路上を移動する搬送台とを備え、該搬送台に接合姿勢とした被接合材の組を載せて搬送しつつ、その被接合材同士の接合線に沿って前記加工ヘッドの回転する先端部を埋入させて接合一体化する摩擦攪拌接合装置であって、前記搬送台は、左右一対の搬送方向に沿うラックと、これら両側のラックの間に配置して被接合材同士の接合部位を支承する接合受け部とを具備し、搬送路側には、加工ヘッドによる接合位置において前記搬送台の接合受け部の下面に接するローラーが配置すると共に、該搬送台の両ラックに噛合して回転駆動するピニオンを有することを特徴とする摩擦攪拌接合装置。
【請求項２】
前記搬送路に、搬送台の接合受け部の下面に接する平坦周面部と前記ピニオンとを一体化した駆動ローラーが配設されてなる請求項１記載の摩擦攪拌接合装置。
【請求項３】
前記駆動ローラーに一体化された平坦周面部とピニオンの有効径が等しく設定されてなる請求項２記載の摩擦攪拌接合装置。
【請求項４】
前記搬送路に、搬送台の接合受け部の下面に接して遊転する従動ローラーが配設されてなる請求項１記載の摩擦攪拌接合装置。
【請求項５】
前記搬送台は、下面にラックを形成した左右一対のラックバーと、棒状材よりなる接合受け部とが左右方向に沿う複数本の連結杆を介して連結一体化されてなる請求項１〜４のいずれかに記載の摩擦攪拌接合装置。
【請求項６】
前記の各ラックバーの側面に補助バーがねじ止め接合され、これら補助バーを介して搬送台の左右両側部が搬送路側のローラーに支承されるように構成されてなる請求項５記載の摩擦攪拌接合装置。
【請求項７】
前記搬送路に、搬送台上の被接合材の上面に接して転動する押さえローラを備えた請求項１〜６のいずれかに記載の摩擦撹拌接合装置。
【請求項８】
請求項１〜７のいずれかに記載された摩擦撹拌装置により、平板状の被接合物を接合することを特徴とする接合方法。
【発明の詳細な説明】
【０００１】
【発明の属する技術分野】
この発明は、被接合材の組を搬送台に載せて搬送しつつ、定位置に配備された摩擦攪拌接合用の加工ヘッドの回転する先端部を被接合材同士の接合線に沿って埋入させて接合一体化する摩擦攪拌接合装置に関する。
【０００２】
【従来の技術】
近年、金属材の溶接やロウ付けに代わる新しい接合手段として、摩擦攪拌接合（Ｆｒｉｃｔｉｏｎ  Ｓｔｉｒ  Ｗｅｌｄｉｎｇ）法が登場している。この接合法は、例えば特表平７−５０５０９０号公報に開示されているように、被加工物よりも硬い材質のプローブ（棒状物）を回転させながら被加工物に摺接させた際に、この摺接部分で発生する摩擦熱と圧力によって被加工物素材が塑性流動化するため、該プローブが被加工物中に埋入して且つこの埋入状態のまま被加工物中を移動可能になることを利用したものである。
【０００３】
例えば、金属板同士の突き合わせ接合線に沿って前記プローブを埋入状態で相対移動させると、プローブの前方側で塑性流動した両金属板の素材が攪拌混練されながら該プローブの後方側へ漸次移行し、後方側で摩擦熱を失って急速に冷却固化するから、両金属板は素材同士が混じり合って完全に一体化した状態で接合される。この場合、金属素材が塑性流動する温度は融点よりもかなり低く、接合は固相接合の範疇に入り、接合過程を通して金属材への入熱量は溶接やロウ付けに比較して極めて少なく、且つ凝固収縮に伴う応力の発生もないから、接合部近傍の熱歪みによる変形や割れを生じにくいという利点がある。
【０００４】
このような摩擦攪拌接合には、被接合材を加工テーブル等に固定して前記プローブを備えた加工ヘッド側を移動させて接合する方式と、逆に被接合材を送りローラを介して送りつつ定位置に配置した同加工ヘッドにて接合する方式とがある。そして、前者の方式では一回の接合長さが加工ヘッドの移動ストロークの範囲内となるために被接合材の長さに制約を受けるのに対し、後者の方式は上記制約がないので押出形材等の長尺品の接合に有利である。
【０００５】
従来、被接合材を送る方式の摩擦攪拌接合では、ローラーコンベヤ方式の搬送路において被接合材の組を下側ローラーと上側ローラーとで挟んで搬送し、接合位置での加工ヘッドの押圧力を直下に配置した下側ロールによって受ける構成が一般的である。しかるに、この構成では、接合位置で塑性流動化した被接合材の素材が下側ローラーの円周面に接触するため、接合部の裏面側が通常約０．２ｍｍ程度の膨出状態になる上、ローラー表面の傷が転写されることもあり、接合品の裏面側の平坦度が悪くなるという問題があった。
【０００６】
そこで、本出願人は先に、裏面側の平坦度の良い接合品を得るために、上面が平坦な接合受け部を有する搬送台を用い、この搬送台に被接合材の組を接合部位が前記接合受け部上に位置するように載せ、該搬送台をローラーコンベヤ方式の搬送路上で搬送しつつ、被接合材同士を定位置に配備された摩擦攪拌接合用の加工ヘッドによって接合一体化する方法を提案している。
【０００７】
図６（イ）（ロ）は上記方法を適用した摩擦攪拌接合装置の構成例を示す。図中の（11）は搬送台であり、中央に配置した前後方向に沿う角棒状の接合受け部（12）と、同じく前後方向に沿う略角棒状で外縁に突縁部（13ａ）を有する左右一対の側枠部（13）（13）とが、左右方向に沿う複数本のスクリュー軸（14）…を介して連結した枠体からなり、接合受け部（12）の下面にラック（15）が形成されている。一方、搬送路の各送りローラー（21）の中央部には、前記搬送台（11) のラック（15）に噛合させるピニオン（22）が設けてある。
【０００８】
摩擦攪拌接合に際しては、搬送台（11）の接合受け部（12）と両側枠部（13）（13）の間にわたって、例えば２枚一組の板状の被接合材（Ｗ1)（Ｗ2)を接合部位が接合受け部（12）上に位置するように載置して、各スクリュー軸（14）の両側に螺合したナット（16）（16）の締め付けによって両側から挟み付け固定し、この搬送台（11）を搬送路の送りローラー（21）…上に載せ、これら送りローラー（21）…を回転駆動することにより、該搬送台（11）をラック（15）とピニオン（22）との噛合によって強制的に移送する。この場合、加工ヘッド（31）による接合位置において、被接合材（Ｗ1)（Ｗ2)の塑性流動化した素材は裏面側で搬送台（11）の接合受け部（12）の平坦な上面と面接触するから、接合部の裏面側が膨出状態となったり、ローラー表面の傷が転写されることはない。
【０００９】
【発明が解決しようとする課題】
しかしながら、上記提案の摩擦攪拌接合装置では、該搬送台（11) は接合受け部（12）の下面のラック（15）と送りローラー（21）のピニオン（22）との噛合によって移送されるが、そのギヤ歯の噛み合い変位に伴い、接合位置において該接合受け部（12）ががた付いて上下に振れるため、加工ヘッド（31）のプローブ（31ａ）の先端と接合受け部（12）の上面との間隙が変動して安定した接合を行えず、接合品質の低下を招く場合があることが判明した。しかして、高品質の接合品を得るには加工ヘッド（31）のプローブ（31ａ）の先端と被接合材の受け面つまり接合受け部（12）の上面との間隙に０．０１ｍｍ以上の精度が要求されるが、ラック（15）とピニオン（22）との噛合精度を高めても機構的には接合受け部（12）の０．１ｍｍ程度の上下動を伴うがた付きが避けられないことから、現状では上記要求に対応できない。
【００１０】
この発明は、上述の事情に鑑みて、被接合材を搬送台を介して搬送しつつ定位置の加工ヘッドによって接合する摩擦攪拌接合装置として、該搬送台における被接合材同士の接合部位を支承する接合受け部が接合位置でがた付かず、もって高品質の接合品が確実に得られるものを提供することを目的としている。
【００１１】
【課題を解決するための手段】
上記目的を達成するために、請求項１の発明は、ローラーコンベヤ方式の搬送路と、この搬送路上の定位置に配備された摩擦攪拌接合用の加工ヘッドと、前記搬送路上を移動する搬送台とを備え、該搬送台に接合姿勢とした被接合材の組を載せて搬送しつつ、その被接合材同士の接合線に沿って前記加工ヘッドの回転する先端部を埋入させて接合一体化する摩擦攪拌接合装置であって、前記搬送台は、左右一対の搬送方向に沿うラックと、これら両側のラックの間に配置して被接合材同士の接合部位を支承する接合受け部とを具備し、搬送路側には、加工ヘッドによる接合位置において前記搬送台の接合受け部の下面に接するローラーが配置すると共に、該搬送台の両ラックに噛合して回転駆動するピニオンを有することを特徴としている。
【００１２】
この摩擦攪拌接合装置では、被接合材の組を載せた搬送台は両側のラックが搬送路の回転駆動するピニオンと噛合することによって該搬送路上を移動するが、この移動過程で接合受け部の下面側は搬送路のローラー周面と平坦面同士で接するから、加工ヘッドによる接合位置で接合受け部のがた付きを生じることはなく、接合受け部上に位置する被接合材同士の接合部位に埋入した加工ヘッドの先端部（プローブ）と受け面つまり当該接合受け部の上面との設定間隙が高精度で維持される。なお、搬送台の左右両側ではラックとピニオンとの噛合に伴うがた付きを生じるが、接合位置での接合受け部は加工ヘッドの押圧力によって搬送路のローラーの平坦周面に押し付けられるために上下動を生じない。
【００１３】
請求項２の発明は、上記請求項１の摩擦攪拌接合装置において、前記搬送路に、搬送台の接合受け部の下面に接する平坦周面部と前記ピニオンとを一体化した駆動ローラーが配設されてなるものとしている。この場合、搬送路のローラーが搬送台の接合受け部の支承機能とラックに噛合するピニオン機能を併せ持つから、ローラーコンベヤの装置構成が簡素になる。
【００１４】
請求項３の発明は、上記請求項２の摩擦攪拌接合装置において、前記駆動ローラーに一体化された平坦周面部とピニオンの有効径が等しく設定されてなるものとしている。この場合、ローラーにおける搬送台の接合受け部の下面に接する平坦周面部と同ラックに噛合するピニオン部分の周速が一致するから、搬送台の移動過程で接合受け部の下面がローラー周面に対して滑ることがない。
【００１５】
請求項４の発明は、上記請求項１の摩擦攪拌接合装置において、前記搬送路に、搬送台の接合受け部の下面に接して遊転する従動ローラーが配設されてなるものとしている。この場合、従動ローラーにおける搬送台の接合受け部の下面に接する平坦周面部の径がピニオンの有効径と一致しなくとも、この平坦周面部と搬送台の接合受け部の下面との間で滑りを生じることがない。
【００１６】
請求項５の発明は、上記請求項１〜４のいずれかの摩擦攪拌接合装置において、前記搬送台は、下面にラックを形成した左右一対のラックバーと、棒状材よりなる接合受け部とが左右方向に沿う複数本の連結杆を介して連結一体化されてなるものとしている。この構成では、接合受け部は、加工ヘッドの押圧と被接合材の重量の負荷が加わった状態で搬送路のローラーに接するために消耗し易いが、独立した棒状材であるから、例えば鋼材等の安価な材料を用い、消耗時に容易に新品と取り替えることができる。
【００１７】
請求項６の発明は、上記請求項５の摩擦攪拌接合装置において、前記の各ラックバーの側面に補助バーがねじ止め接合され、これら補助バーを介して搬送台の左右両側部が搬送路側のローラーに支承されるように構成している。この構成では、搬送台の左右両側部において、補助バーが被接合材の重量負荷を受けて搬送路側のローラーに接するから、該補助バーとして例えば鋼材等の安価な材料を用いて消耗時に新品と取り替えるようにできると共に、製作コストの高いラックバーはピニオンと噛合するだけでよいために消耗しにくく長寿命となる。
【００１８】
【発明の実施の形態】
以下、この発明に係る摩擦攪拌接合装置の実施例について、図面を参照して具体的に説明する。図１及び図２は第一実施例、図３は第二実施例、図４は第三実施例、図５は第四実施例、をそれぞれを示す。
【００１９】
図１（イ）（ロ）及び図２に示すように、第一実施例の摩擦攪拌接合装置における搬送台（１Ａ）は、前後方向に沿う角棒状で左右方向の中央に位置する接合受け部（２）と、前後方向に沿う角棒状で下面にラック（30）を有する左右一対のラックバー（３）（３）と、両ラックバー（３）（３）の外側に配置した左右一対の縦帯板状の幅寄せ部材（４）（４）とが、左右方向に沿う複数本の連結杆（５）…を介して連結した枠体からなる。しかして、各連結杆（５）は、両端側がねじ軸部（５ａ）（５ａ）をなし、接合受け部（２）及び両ラックバー（３）（３）に対して貫通部分に押接するセットねじ（51）にて固定されると共に、各幅寄せ部材（４）に貫通したねじ軸部（５ａ）の外側にナット（52）を螺着することにより、該幅寄せ部材（４）を左右方向移動可能で且つナット（52）にて外側位置を規制するように保持している。また、接合受け部（２）の上下面（２ａ）（２ｂ）は共に平滑であり、その上面（２ａ）は両ラックバー（３）（３）の上面（３ａ）と同一高さに設定されている。
【００２０】
一方、搬送路は、水平回転軸の駆動ローラー（６Ａ）…が水平方向一定間隔置きに配置したローラーコンベヤ方式であり、その行程途中の定位置上方に摩擦攪拌接合用の昇降可能な加工ヘッド（７）が配備しており、該加工ヘッド（７）の直下に駆動ローラー（６Ａ）…の一本が位置するように設定されている。しかして、各駆動ローラー（６Ａ）は、左右両側に底部がピニオン（８）となった環状凹部（61）を有しており、この上に載せた搬送台（１Ａ）の接合受け部（２）の下面（２ｂ）が平坦周面部（６ａ）に接した状態で、両側のピニオン（８）（８）が該搬送台（１Ａ）の左右のラック（30）（30）と各々噛合し、この噛合状態での回転駆動によって該搬送台（１Ａ）を強制的に前方へ移送するように設定されている。
【００２１】
上記構成の摩擦攪拌接合装置において、例えばアルミニウム合金等よりなる２枚一組の板状の被接合材（Ｗ1)（Ｗ2)を接合一体化する場合、図１（イ）（ロ）に示すように、搬送台（１Ａ）の接合受け部（２）と両ラックバー（３）（３）を支承部として、両被接合材（Ｗ1)（Ｗ2)を接合すべき側縁同士が接合受け部（２）の中央上で突き合わされるように載置し、ナット（５ｂ）…を締め付けることにより、両幅寄せ部材（４）（4 ）にて両被接合材（Ｗ1)（Ｗ2)を左右から挟み付けて拘束状態とする。そして、この搬送台（１Ａ）を搬送路の駆動ローラ（６Ａ）…上に載せて搬送するが、搬送台（１Ａ）の左右のラックバー（３）（３）が駆動ローラ（６Ａ）…の両側の環状凹部（61）（61）に嵌合した形で、各ラック（30）とピニオン（８）と噛合するから、搬送中に左右方向の位置ずれを生じず、両被接合材（Ｗ1)（Ｗ2)の突き合わせ接合線が確実に加工ヘッド（７）による接合位置を通ることになる。
【００２２】
しかして、搬送台（１Ａ）に載せた両被接合材（Ｗ1)（Ｗ2)の突き合わせ接合線の前端部を接合位置に合わせ、上方で待機していた加工ヘッド（７）を高速回転させつつ降下させ、その先端のプローブ（９ａ）を両被接合材（Ｗ1)（Ｗ2)の突き合わせ部に埋入させ、この埋入状態で駆動ローラ（６Ａ）…を回転駆動させて搬送台（１Ａ）を前方へ一定速度で搬送する。これにより、プローブ（９ａ）の埋入部分では、被接合材（Ｗ1)（Ｗ2)の素材が既述のように摩擦熱と圧力によって塑性流動化し、攪拌混合されてプローブ（９ａ）の進行後方側で冷却固化し、もって両被接合材（Ｗ1)（Ｗ2)が完全に接合一体化してゆく。
【００２３】
このとき、搬送台（１Ａ）の左右両側ではラック（30）とピニオン（８）との噛合に伴うがた付きを生じるが、接合受け部（２）は加工ヘッド（７）の押圧力によって平滑な下面（２ｂ）が駆動ローラー（６）の平坦周面部（６ａ）に押し付けられるために上下動を生じない。従って、加工ヘッド（７）のプローブ（７ａ）の先端と接合受け部（２）の上面（２ａ）との間の設定間隙が高精度で維持され、安定した接合状態が持続すると共に、接合部の下面側は接合受け部（２）の平坦な上面（２ａ）に接しているから、塑性流動化した素材が被接合材（Ｗ1)（Ｗ2)の下面から膨出することはなく、接合品位が高く裏面の平坦度のよい接合品が得られる。
【００２４】
なお、接合受け部（２）は、加工ヘッド（７）の押圧と被接合材（Ｗ1)（Ｗ2)の重量の負荷が加わった状態で搬送路の駆動ローラー（６Ａ）…に接するために消耗し易いが、独立した棒状材であるから、例えば鋼材等の安価な材料を用い、消耗時に容易に新品と取り替えることができる。
【００２５】
図３に示す第二実施例の摩擦攪拌接合装置では、搬送台（１Ｂ）は、第一実施例の搬送台（１Ａ）と同様に中央の接合受け部（２）と左右一対のラックバー（３）（３）及び幅寄せ部材（４）（４）が連結杆（４）…を介して連結した枠体からなるが、接合受け部（２）の下面（２ｂ）がラック（30）の基準ピッチ位置と同じレベルになるように設定されている。そして、搬送路の各駆動ローラー（６Ｂ）は、中央部に環状凹部（62）を有し、この環状凹部（62）の径を両側の環状凹部（61）（61）のピニオン（８）のピッチ円直径と同一に設定してあり、この上に載せた搬送台（１Ｂ）の接合受け部（２）の下面（２ｂ）が中央の環状凹部（62）の底面をなす平坦周面部（６ｂ）に接した状態で、両側のピニオン（８）（８）が該搬送台（１Ｂ）の左右のラック（30）（30）と噛合するように構成されている。
【００２６】
この第二実施例の摩擦攪拌接合装置においては、前記第一実施例と同様に、２枚一組の被接合材（Ｗ1)（Ｗ2)を拘束状態で載置した搬送台（１Ｂ）を搬送路の駆動ローラー（６Ｂ）…上に載せて搬送しつつ、加工ヘッド（７）によって両被接合材（Ｗ1)（Ｗ2)を摩擦攪拌接合するが、駆動ローラー（６Ｂ）の平坦周面部（６ｂ）とピニオン（８）（８）の有効径が等しく、回転に伴う周速の差を生じないため、搬送台（１Ｂ）の搬送過程で接合受け部（２）と駆動ローラー（６Ｂ）の平坦周面部（６ｂ）と間で滑りが発生しない。従って、搬送台（１Ｂ）の送りが安定し、接合品位がより向上する。
【００２７】
図４（イ）（ロ）に示す第三実施例の摩擦攪拌接合装置では、前記第一実施例と同様の搬送台（１Ａ）を用いるが、搬送路側には、軸受（63）（63）を介して遊転自在に保持された従動ローラー（６Ｃ）…と、左右一対のギヤ（８ａ）（８ａ）を固着したピニオン軸（80）…とが交互に所定間隔置きに配置しており、ピニオン軸（80）…の一本は加工ヘッド（７）の直下に位置している。そして、搬送台（１Ａ）の搬送に際し、接合受け部（２）を従動ローラー（６Ｃ）…にて支承すると共に、ピニオン軸（80）…の各ギヤ（８ａ）がピニオン（８）として該搬送台（１Ａ）のラック（30）に噛合するように設定されている。なお、ピニオン軸（80）の各ピニオン（８）部分は、搬送台（１Ａ）のラックバー（３）を嵌合させるために、ギヤ（８ａ）に円盤（８ｂ）を固着して凹陥状としてある。
【００２８】
この第三実施例の摩擦攪拌接合装置においては、搬送台（１Ａ）に前記第一実施例と同様に２枚一組の被接合材（Ｗ1)（Ｗ2)を拘束状態で載置し、この搬送台（１Ａ）を搬送路上でピニオン軸（80）…の回転駆動によって前方へ送りつつ前記同様に加工ヘッド（７）による摩擦攪拌接合を行うが、従動ローラー（６Ｃ）…は該搬送台（１Ａ）の搬送過程で接合受け部（２）の下面（２ｂ）と接触して従動回転するから、前記第二実施例の場合と同じく搬送台（１Ａ）の送りが安定し、接合品位がより向上する。なお、この場合、従動ローラー（６Ｃ）…の径はピニオン（８）の有効径とは無関係に設定できる。
【００２９】
図５に示す第四実施例の摩擦攪拌接合装置では、搬送台（１Ｃ）は、前記第二実施例の搬送台（１Ｂ）における各ラックバー（３）の両側に縦帯板状の補助バー（９）（９）がねじ止め接合された構造を有している。そして、各補助バー（９）は、上面（９ａ）がラックバー（３）の上面（３ａ）と同じ高さで、且つ下面（９ｂ）がラック（30）の基準ピッチ位置と同じレベルに設定されている。一方、搬送路に配置された駆動ローラー（６Ｄ）…は、中央部に前記第二実施例の駆動ローラー（６Ｂ）と同様の環状凹部（62）を有すると共に、各ピニオン（８）の両側にも環状凹面部（64）（64）を有しており、これら環状凹面部（64）…と中央の環状凹部（62）とがピニオン（８）のピッチ円直径と同一になるように設定されている。
【００３０】
この第四実施例の摩擦攪拌接合装置においては、搬送台（１Ｃ）に２枚一組の被接合材（Ｗ1)（Ｗ2)を拘束状態で載置し、この搬送台（１Ｃ）を搬送路の駆動ローラー（６Ｄ）…上に載せて搬送しつつ、加工ヘッド（７）によって両被接合材（Ｗ1)（Ｗ2)を摩擦攪拌接合するが、この搬送過程で搬送台（１Ｃ）の左右両側部が補助バー（９）…を介して駆動ローラー（６Ｄ）に支承され、ラック（30）（30）には重量負荷が加わらない。従って、製作コストの高いラックバー（３）は消耗しににく長寿命となる一方、補助バー（９）として鋼材等の安価な材料を用いて消耗時に新品と交換するようにして、保全コストを低減できる。また、この第四実施例の構成でも、駆動ローラー（６Ｄ）の中央の環状凹部（62）及び両側の環状凹面部（64）…とピニオン（８）の有効径が等しく、回転に伴う周速の差を生じないことから、前記第二及び第三実施例と同様に搬送台（１Ｃ）の送りが安定し、接合品位がより向上する。しかして、この場合、補助バー（９）を各ラックバー（３）の片側のみに設ける構成としてもよい。
【００３１】
なお、前記第一〜第四実施例で用いた搬送台（１Ａ）〜（１Ｃ）では左右のラックバー（３）（３）を被接合材の支承部としているが、両側の幅寄せ部材（４）（４）に被接合材の非接合側の側縁部を支持するための段部を設けて、ラックバーで被接合材を支承しない構造としてもよい。また、搬送路側で搬送台の接合受け部を従動ローラーにて支承する構成では、前記第三実施例のように従動ローラー（６Ｃ）とピニオン軸（80）を別体とせず、従動ローラーをピニオン軸（80）自体に軸受を介して相対回転自在に嵌装させることも可能である。更に、前記実施例では搬送台の左右方向の位置決めのために搬送路のローラーの環状凹部（61）（62）に搬送台のラックバー（３）や接合受け部（２）を嵌合させているが、同様の目的でこれら嵌合の凹凸関係を逆にすることもできる。
【００３２】
しかして、請求項１〜４の発明では、搬送台における接合受け部と両側のラックとが板状等の基体に一体形成された構成や、両側のラックを外向きに設けて側方からピニオンが噛合する構成も包含する。
【００３３】
一方、この発明の摩擦攪拌接合装置は、実施例で例示したような平板状の被接合材に限らず、中空部を有するものや枠状のもの等、様々な形態の被接合材同士の接合に適用できると共に、突き合わせ部の接合に限らず、重ね合わせ部や嵌合部等の他の組み合わせ構造部の接合にも適用可能である。また、これら被接合材の形状や接合形態によっては、搬送路に搬送台上の被接合材の上面に接して転動する押さえローラを設けてもよいし、搬送台における被接合材の固定手段としても、例示した幅寄せ部材（４）による両側からの挟み付け以外の様々な機構を採用できる。
【００３４】
【発明の効果】
請求項１の発明によれば、被接合材を搬送台を介してローラーコンベヤ方式の搬送路で移送しつつ定位置の加工ヘッドによって摩擦攪拌接合する装置として、搬送台の送りをその左右両側に設けたラックと搬送路側のピニオンの噛合によって行い、該搬送台における被接合材同士の接合部位を支承する接合受け部の下面が搬送路側のローラー周面と平坦面同士で接する構成としていることから、加工ヘッドによる接合位置で接合受け部のがた付きを生じず、加工ヘッドの先端部と接合受け部の上面との設定間隙を高精度で維持でき、もって安定した接合状態によって高い接合品位で裏面の平坦度のよい接合品を確実に得られるものが提供される。
【００３５】
請求項２の発明によれば、上記の摩擦攪拌接合装置において、搬送路のローラーが搬送台の接合受け部の支承機能とラックに噛合するピニオン機能を併せ持つことから、ローラーコンベヤの装置構成が簡素になり、それだけ設備コストを低減できるという利点がある。
【００３６】
請求項３の発明によれば、上記の摩擦攪拌接合装置において、搬送路のローラーにおける搬送台の接合受け部に接する平坦周面部と同ラックに噛合するピニオン部分の周速が一致し、搬送台の移動過程で接合受け部の下面がローラー周面に対して滑りを生じないことから、該搬送台の送りが安定し、接合品位がより向上するという利点がある。
【００３７】
請求項４の発明によれば、上記の摩擦攪拌接合装置において、搬送路のローラーが搬送台の接合受け部の下面に接して遊転する従動ローラーからなり、このローラーにおける搬送台の接合受け部の下面に接する平坦周面部の径がピニオンの有効径と一致しなくとも、この平坦周面部と搬送台の接合受け部の下面との間で滑りを生じず、もって該搬送台の送りが安定し、接合品位がより向上するという利点がある。
【００３８】
請求項５の発明によれば、上記の摩擦攪拌接合装置として、搬送台が左右一対のラックバーと棒状材よりなる接合受け部とを複数本の連結杆を介して連結一体化したものであるから、該搬送台の構成が極めて簡素であると共に、消耗し易い接合受け部に例えば鋼材等の安価な材料を用い、その消耗時に容易に新品と取り替えることが可能であり、もって搬送台の製作コスト及び保全コストを低減できるものが提供される。
【００３９】
請求項６の発明によれば、上記の摩擦攪拌接合装置において、搬送台の左右両側部がラックバーにねじ止めした補助バーを介して搬送路側のローラーに接し、ラックバーはピニオンと噛合するだけでよいから、製作コストの高いラックバーが消耗しにくく長寿命になると共に、補助バーとして例えば鋼材等の安価な材料を用いて消耗時に新品と交換するようにして、保全コストを低減できるという利点がある。
【図面の簡単な説明】
【図１】この発明の第一実施例に係る摩擦攪拌接合装置を示し、（イ）図は接合位置おける縦断正面図、（ロ）図は（イ）図中のローロ線の断面矢視図である。
【図２】同第一実施例の摩擦攪拌接合装置に用いる搬送台の平面図である。
【図３】同第二実施例の摩擦攪拌接合装置の接合位置における縦断正面図である。
【図４】同第三実施例に係る摩擦攪拌接合装置を示し、（イ）図は非接合位置おける縦断正面図、（ロ）図は接合位置おける縦断正面図である。
【図５】同第四実施例の摩擦攪拌接合装置の接合位置における縦断正面図である。
【図６】先行技術における摩擦攪拌接合装置の構成例を示し、（イ）図は接合位置での縦断正面図、（ロ）図は（イ）図中のローロ線の断面矢視図である。
【符号の説明】
１Ａ〜１Ｃ・・・・・搬送台
２・・・・・・・・・接合受け部
２ａ・・・・・・・・上面
２ｂ・・・・・・・・下面
３・・・・・・・・・ラックバー
３０・・・・・・・・ラック
４・・・・・・・・・幅寄せ部材
５・・・・・・・・・連結杆
５ａ・・・・・・・・ねじ軸部
６Ａ，６Ｂ，６Ｄ・・駆動ローラー
６Ｃ・・・・・・・・従動ローラー
６ａ，６ｂ・・・・・平坦周面部
７・・・・・・・・・加工ヘッド
７ａ・・・・・・・・プローブ（先端部）
８・・・・・・・・・ピニオン
９・・・・・・・・・補助バー
Ｗ1 ，Ｗ2 ・・・・・被接合材
【図１】
0004209537.tif 000002
【図２】
0004209537.tif 000003
【図３】
0004209537.tif 000004
【図４】
0004209537.tif 000005
【図５】
0004209537.tif 000006
【図６】
0004209537.tif 000007